(57)【要約】【課題】ドメインにおけるコンテンツの所在と権利許諾情報をドメイン所属の機器の動作状態に関わらず容易に検索する。【解決手段】ドメインに属する機器のコンテンツＩＤ情報と権利許諾情報をコンテンツが存在する機器のＩＤ情報とともにコンテンツ情報ファイルに登録更新するコンテンツ情報管理手段と、コンテンツ情報ファイルから読み出したコンテンツＩＤ情報と検索依頼機器からの検索キーワードとを照合し一致する場合には、コンテンツＩＤ情報と機器ＩＤ、一致情報とともにドメイン制御手段に通知する照合手段と、検索キーワードとコンテンツＩＤとの照合を照合手段に指示、照合手段からの一致コンテンツのＩＤ情報と機器ＩＤを受け取り、コンテンツ情報管理手段から権利許諾情報を受け取り、一致コンテンツＩＤと権利許諾情報と一致コンテンツが存在する機器のＩＤとを検索依頼機器に通知するドメイン制御手段とによって構成されるドメイン管理装置。【選択図】図１
2008242710.tif 000002
【特許請求の範囲】
【請求項１】
機器ＩＤを有する機器が少なくとも一つ以上接続されて構成されるドメインにおけるドメイン管理装置であって、
前記ドメインに属する機器の機器ＩＤを登録蓄積する機器ＩＤ登録蓄積手段と、
前記ドメインに属する機器が保有するコンテンツのコンテンツＩＤ情報と前記コンテンツの権利許諾情報とを前記コンテンツが存在する機器の機器ＩＤとともにコンテンツ情報ファイルに登録更新するコンテンツ情報管理手段と、
前記機器のうちのいずれかの一つである検索依頼機器から受信した検索キーワードと前記コンテンツ情報ファイルから読み出したコンテンツＩＤ情報とを照合し一致する場合には、一致したコンテンツＩＤ情報と前記機器ＩＤとをドメイン制御手段に通知する照合手段と、
前記検索キーワードと前記コンテンツ情報ファイルに記憶されているコンテンツＩＤとの照合を前記照合手段に指示し、前記照合手段から前記一致したコンテンツＩＤ情報と前記機器ＩＤを受け取り、前記コンテンツ情報管理手段から前記一致したコンテンツＩＤに対応する権利許諾情報を受け取り、前記一致したコンテンツＩＤ情報と前記対応する権利許諾情報とともに前記一致したコンテンツＩＤ情報を有するコンテンツが存在する機器の機器ＩＤとを前記検索依頼機器に通知するドメイン制御手段と
によって構成されることを特徴とするドメイン管理装置。
【請求項２】
機器ＩＤとドメインＩＤを有する機器が少なくとも一つ以上接続されて構成される第１のドメインと、
機器ＩＤとドメインＩＤを有する機器が少なくとも一つ以上接続されて構成される第２のドメインとからなるネットワークにおけるドメイン管理装置であって、
前記第１のドメインまたは前記第２のドメインに属する機器の機器ＩＤとドメインＩＤとを登録蓄積する機器ＩＤ登録蓄積手段と、
前記第１のドメインまたは前記第２のドメインに属する機器が保有するコンテンツのコンテンツＩＤ情報と前記コンテンツの権利許諾情報とを前記コンテンツが存在する機器の機器ＩＤとともにコンテンツ情報ファイルに登録更新するコンテンツ情報管理手段と、
前記第１のドメインまたは前記第２のドメインに所属する機器のうちのいずれかの一つである検索依頼機器から受信した検索キーワードと前記コンテンツ情報ファイルから読み出したコンテンツＩＤ情報とを照合し一致する場合には、一致したコンテンツＩＤ情報と前記機器ＩＤと前記ドメインＩＤとをドメイン制御手段に通知する照合手段と、
前記検索キーワードと前記コンテンツ情報ファイルに記憶されているコンテンツＩＤとの照合を前記照合手段に指示し、前記照合手段から前記一致したコンテンツＩＤ情報と前記機器ＩＤを受け取り、前記コンテンツ情報管理手段から前記一致したコンテンツＩＤに対応する権利許諾情報を受け取り、前記一致したコンテンツＩＤ情報と前記対応する権利許諾情報とともに前記一致したコンテンツＩＤ情報を有するコンテンツが存在する機器の機器ＩＤとを前記検索依頼機器に通知するドメイン制御手段と
によって構成されることを特徴とするドメイン管理装置。
【発明の詳細な説明】
【技術分野】
【０００１】
本発明は、ホームネットワークの１組の機器がドメインとして定義されそのドメインにおけるコンテンツの検索に関わる分野である。
【背景技術】
【０００２】
図４は、従来例を示すブロック図である。図４において、２０１は機器Ａ、２０２は機器Ｂ、２０３は機器Ｃ、２９５は機器Ａと機器Ｂと機器とＣで構成されるドメイン、２８０はオペレータ、２８１はコンテンツサーバ、２９１、２９２、２９３は伝送路である。コンテンツサーバ２８１から伝送路２９１及び２９２及び２９３を経由してドメイン２９５に送信されたコンテンツはＭＰＥＧ−２システムストリームとして符号化されており、権利許諾情報とともに機器Ａ、機器Ｂ、機器Ｃに蓄積される。ここで機器Ａはコンテンツサーバ２８１からコンテンツを受け取る代わりにドメイン２９５に属する他の機器、従来例では機器Ｂあるいは機器Ｃから所定のコンテンツを受け取りたい場合に、機器Ａは、まず、機器Ｂに所定のコンテンツの有無を問い合わせ、ついで、機器Ｃに同様の問い合わせを行う。
【０００３】
なお、この出願の発明に関する先行技術文献情報としては、例えば特許文献１、特許文献２、特許文献３が知られている。
【特許文献１】特開２００３−３２３３４３号公報
【特許文献２】特開２００５−２７５８２８号公報
【特許文献３】特開２００４−３０２８１７号公報
【発明の開示】
【発明が解決しようとする課題】
【０００４】
しかしながら、前記において、ドメインに属する機器が、ドメイン内に属する機器に求めるコンテンツが存在するか否かについて調べようとすると、個々の機器に直接問い合わせる必要があり、ドメイン２９５に属する機器の数が増加するとこの問い合わせの手間がかかるだけでなく、ドメイン２９５に属する機器のすべてが動作状態でないとドメイン２９５に属する機器Ａ、機器Ｂ、機器Ｃが蓄積するコンテンツを把握することができない。
【０００５】
ドメイン内に多数の機器が存在する場合、問い合わせ時にすべての機器を動作状態とすることは困難であり、また、各機器のコンテンツは日常的に更新されることを考えると非現実的である。以上のことから、従来の構成では、ドメイン内の機器に存在するコンテンツを把握することは困難なものであった。
【０００６】
本発明は、前記課題を考慮し、ドメインに属する機器がドメインに属する機器に存在するコンテンツの検索を容易かつもれなく行うことを目的とするものである。
【課題を解決するための手段】
【０００７】
上述した課題を解決するために、本発明のドメイン管理装置は、機器ＩＤを有する機器が少なくとも一つ以上接続されて構成されるドメインにおけるドメイン管理装置であって、前記ドメインに属する機器の機器ＩＤを登録蓄積する機器ＩＤ登録蓄積手段と、前記ドメインに属する機器が保有するコンテンツのコンテンツＩＤ情報と前記コンテンツの権利許諾情報とを前記コンテンツが存在する機器の機器ＩＤとともにコンテンツ情報ファイルに登録更新するコンテンツ情報管理手段と、前記機器のうちのいずれかの一つである検索依頼機器から受信した検索キーワードと前記コンテンツ情報ファイルから読み出したコンテンツＩＤ情報とを照合し一致する場合には、一致したコンテンツＩＤ情報と前記機器ＩＤとをドメイン制御手段に通知する照合手段と、前記検索キーワードと前記コンテンツ情報ファイルに記憶されているコンテンツＩＤとの照合を前記照合手段に指示し、前記照合手段から前記一致したコンテンツＩＤ情報と前記機器ＩＤを受け取り、前記コンテンツ情報管理手段から前記一致したコンテンツＩＤに対応する権利許諾情報を受け取り、前記一致したコンテンツＩＤ情報と前記対応する権利許諾情報とともに前記一致したコンテンツＩＤ情報を有するコンテンツが存在する機器の機器ＩＤとを前記検索依頼機器に通知するドメイン制御手段とによって構成されることを特徴とするドメイン管理装置。
【発明の効果】
【０００８】
ドメインに属する機器は、ドメイン管理装置に検索キーワードを送るだけで、求めるコンテンツが存在する機器の機器ＩＤと権利許諾情報を、ドメインに属する他の機器の動作状態に関わらず、また、ドメインに属する機器に個別に問い合わせることなく、効率的にもれなくかつ最新の状態を正確に知ることができる。
【発明を実施するための最良の形態】
【０００９】
以下、本発明の実施の形態について、図１から図３を用いて説明する。
【００１０】
（実施の形態１）
図１は、実施の形態１に係るホームネットワークの構成を示すブロック図である。図１において、ドメイン９５には、ドメイン管理装置１、第１の機器３１、第２の機器６１とが属している。
【００１１】
ドメイン管理装置１は、ドメインＩＤ蓄積手段２、機器ＩＤ登録蓄積手段３、４はドメイン制御手段、５は入出力手段、６は照合手段、コンテンツ情報ファイル７、コンテンツ情報管理手段８で構成されている。
【００１２】
ドメインＩＤ蓄積手段２はドメインを識別するドメインＩＤを蓄積する。機器ＩＤ登録蓄積手段３はドメインに属する機器の機器ＩＤを登録し蓄積する。
【００１３】
コンテンツ情報ファイル７にはドメイン９５内の機器が保有するコンテンツを識別するコンテンツＩＤ情報、著作権情報や複製制御情報を含む権利許諾情報及び前記機器ＩＤを蓄積する。コンテンツ情報管理手段８はコンテンツ情報ファイル７を管理する。
【００１４】
第１の機器３１は、入出力手段３２、第１の機器３１を識別するＩＤを蓄積している第１の機器ＩＤ蓄積手段３３、第１の機器に蓄積されているコンテンツのコンテンツＩＤ情報及び権利許諾情報を蓄積する第１のコンテンツ蓄積手段３４、コンテンツ蓄積手段３４に蓄積されているコンテンツを再生する再生手段３５からなる。再生手段３５は、本発明の実施の形態１では、ＭＰＥＧ−２デコーダなどで構成される。
【００１５】
第２の機器６１は、入出力手段６２、第２の機器６１を識別するＩＤを蓄積している第２の機器ＩＤ蓄積手段６３、第２の機器に蓄積されているコンテンツのＩＤ及び権利許諾情報を蓄積する第２のコンテンツ蓄積手段６４、コンテンツ蓄積手段６４に蓄積されているコンテンツを再生する再生手段６５からなる。再生手段６５は、本発明の実施の形態１ではＭＰＥＧ−２デコーダ等で構成される。
【００１６】
第１のプロバイダ８０は、少なくとも第１のコンテンツサーバ８１で構成されている。第１のコンテンツサーバ８１は、本発明の実施の形態１ではＭＰＥＧ−２ビデオと権利許諾情報をＭＰＥＧ−２システムストリームに多重化した信号を伝送路９０、９１、９２でドメイン９５に送信する。権利許諾情報は例えばＭＰＥＧ−２システム規格のプログラム仕様情報の中に多重化される。
【００１７】
図１にて、第１のコンテンツサーバ８１から伝送路９１を経由してドメイン９５に送信された第１のコンテンツは、入出力手段３２に送られ第１のコンテンツ蓄積手段３４に第１のコンテンツを識別する第１のコンテンツＩＤ情報と第１のコンテンツに付随する第１の権利許諾情報とともに記録される。伝送路９０、入出力手段５、入出力手段３２を経由して記録してもよい。同様に、伝送路９２を経由してドメイン９５に送信された第２のコンテンツは、入出力手段６２に送られコンテンツ蓄積手段６４に第２のコンテンツを識別する第２のコンテンツＩＤ情報と第２のコンテンツに付随する権利許諾情報とともに記録される。
【００１８】
ドメイン管理装置１は、第１の機器３１の第１の機器ＩＤ蓄積手段３３に蓄積されている第１の機器ＩＤを読み出し、第１のコンテンツ蓄積手段３４から第１の機器３１に蓄積されている第１のコンテンツＩＤ情報及び第１の権利許諾情報を読み出してドメイン制御手段４、コンテンツ情報管理手段８を経てコンテンツ情報ファイル７に記憶する。ドメイン管理装置１は、同様に、第２の機器６１の第２の機器ＩＤ蓄積手段６３に蓄積されている第２の機器ＩＤを読み出し、第２のコンテンツ蓄積手段６４から第２のコンテンツＩＤ情報及び第２の権利許諾情報を読み出してドメイン制御手段４、コンテンツ情報管理手段８を経てコンテンツ情報ファイル７に記憶する。
【００１９】
コンテンツ情報ファイル７には、（表１）のように第１のドメイン上の第１の機器３１及び第２の機器６４上に合計６個のコンテンツが存在する場合を考える。（表１）において、ドメイン９５はドメインＩＤとして１を有する。ここでは説明の都合上、コンテンツＩＤをコンテンツ名と同一としているが、コンテンツＩＤをコンテンツ名と異なる数字や記号として表現してもよい。コンテンツＩＤ「ドラマ１」は、機器ＩＤとして１を有する第１の機器に存在し、権利許諾情報に関しては１回コピーが可能である。
【００２０】
【表１】
2008242710.tif 000003
【００２１】
第１の機器３１にはコンテンツとして「ドラマ１」、「映画１」が存在し、第２の機器６１には「ニュース」、「ドラマ２」、「ドラマ３」、「映画２」が存在する。ここで、第１の機器３１がコンテンツ「ドラマ２」を必要とする場合、第１の機器には「ドラマ２」が存在しないので、検索キーワードとして「ドラマ２」をドメイン管理装置１に送る。ドメイン管理装置１において、ドメイン制御手段４は第１の機器３１から与えられた検索キーワード「ドラマ２」と前記コンテンツ情報ファイルに記憶されているコンテンツＩＤとの照合を照合手段６に指示する。照合手段６は、コンテンツ情報管理手段８を通じてコンテンツ情報ファイル７からドメイン９５に属するコンテンツＩＤ（（表１）における「ドラマ１」、「映画１」、「ニュース」、「ドラマ２」、「ドラマ３」、「映画２」）を読み出して、検索キーワード「ドラマ２」と照合する。その結果、（表１）のコンテンツＩＤである「ドラマ２」が一致するのでコンテンツＩＤ「ドラマ２」に属する機器ＩＤとして２、権利許諾情報（１回コピー）をドメイン制御手段４に通知する。ドメイン制御手段４は、前記コンテンツＩＤ「ドラマ２」に属する機器ＩＤ（２）、権利許諾情報（１回コピー）を入出力手段５、入出力手段３２を通じて第１の機器３１に伝える。
【００２２】
第１の機器３１は、第２の機器６１に対してコンテンツＩＤとして「ドラマ２」を有するコンテンツを要求する。第２の機器６１は、コンテンツ「ドラマ２」の権利許諾情報が「１回コピー可」であるため、コンテンツ蓄積手段６４からコンテンツＩＤとして「ドラマ２」を有するコンテンツを読み出して入出力手段６２を通じて第１の機器３１に送信する。第１の機器３１は、入出力手段３２を通じてコンテンツ「ドラマ２」を受信し、コンテンツ蓄積手段３４にコピーする。また、再生手段３５は、コンテンツ蓄積手段３４からコンテンツ「ドラマ２」を読み出して再生する。
【００２３】
なお、実施の形態１ではドメイン管理装置は、ドメイン９５に存在する場合について説明したが、これに限定されることなく、例えば、ドメイン管理装置は、ドメイン９５の外に存在しても前記のことは同様に成立する。
【００２４】
以上のように、ドメイン９５に属する機器が保有するコンテンツはその権利許諾情報とともにすべてドメイン管理装置の中のコンテンツ情報ファイル７に記憶されているので、ドメイン９５に属する任意の機器が保有しないコンテンツであってもドメイン管理装置に検索キーワードを送るだけでドメイン９５内に前記コンテンツが存在する機器の機器ＩＤを権利許諾情報とともに効率的に知ることができる。ドメイン管理装置が存在しない場合には、個々の機器に直接問い合わせる必要があるが、ホームネットワーク内のすべての機器が動作状態にあるとは限らないので、検索することは困難であるが、実施の形態１では、ドメイン管理手段のみが動作していればよく検索は容易である。
【００２５】
（実施の形態２）
図２は、図１に示す実施の形態１と類似であるが、第２の機器６１が保有するコンテンツの権利を分割する点が異なる。図２にて、７１は権利分割手段であり、その他は実施の形態１と同様である。また、コンテンツ情報ファイル７には（表１）の通り、情報が記憶されているものとする。
【００２６】
第１の機器３１がコンテンツ「ドラマ３」を必要とする場合、第１の機器３１には、コンテンツ「ドラマ３」が存在しないので、検索キーワードとして「ドラマ３」をドメイン管理装置１に送る。ドメイン管理装置１において、ドメイン制御手段４は第１の機器３１から与えられた検索キーワード「ドラマ３」とコンテンツ情報ファイル７に記憶されているコンテンツＩＤとの照合を前記照合手段に指示する。
【００２７】
照合手段６は、コンテンツ情報管理手段８を通じてコンテンツ情報ファイル７からドメイン９５に属するコンテンツＩＤ（（表１）における「ドラマ１」、「映画１」、「ニュース」、「ドラマ２」、「ドラマ３」、「映画２」）を読み出して、検索キーワード「ドラマ２」と照合する。その結果、（表１）のコンテンツＩＤである「ドラマ３」が一致するのでコンテンツＩＤ「ドラマ３」に属する機器ＩＤとして２、権利許諾情報（５回コピー）をドメイン制御手段４に通知する。ドメイン制御手段４は、前記コンテンツＩＤ「ドラマ３」に属する機器ＩＤ（２）、権利許諾情報（５回コピー可）を入出力手段５、入出力手段３２を通じて第１の機器３１に伝える。
【００２８】
第１の機器３１は、第２の機器６１に対してコンテンツＩＤとして「ドラマ３」を有するコンテンツのコピーを要求する。この場合、権利許諾情報として、「２回コピー可」の許諾を求める。第２の機器６１は、「ドラマ３」の権利許諾情報が「５回コピー可」であるため、コンテンツ蓄積手段６４からコンテンツＩＤとして「ドラマ３」を有するコンテンツを読み出して入出力手段６２を通じて第１の機器３１に送信する。この場合、権利許諾情報として求められた「２回コピー可」の権利許諾情報を付与する。第１の機器３１は、入出力手段３２を通じて「ドラマ２」を受信し、コンテンツ蓄積手段３４にコピーする。また、再生手段３５は、コンテンツ蓄積手段３４からコンテンツ「ドラマ２」を読み出して再生する。
【００２９】
ドメイン管理装置１は、第１の機器３１のコンテンツ蓄積手段３４から第１の機器３１に蓄積されているコンテンツのＩＤ及び権利許諾情報を読み出してドメイン制御手段４、コンテンツ情報管理手段８を経てコンテンツ情報ファイル７に記憶することによって更新する。この動作によって、コンテンツ情報ファイル７には、ドメイン９５に属する第１の機器３１及び第２の機器６１に記憶されている最新のコンテンツのコンテンツＩＤ情報及び権利許諾情報が記憶される。（表２）において、第２の機器に記憶されている「ドラマ３」の権利許諾情報は「３回コピー可」に変更される。また、第１の機器に記憶されている「ドラマ３」の権利許諾情報は「１回コピー可」となる。
【００３０】
【表２】
2008242710.tif 000004
【００３１】
以上のように、ドメイン９５に属する機器が保有するコンテンツはその権利許諾情報とともにすべてドメイン管理装置の中のコンテンツ情報ファイル７に記憶されているので、ドメイン９５に所属する任意の機器同士がコンテンツをやり取りしても最新の状況を把握することができるので、ドメイン管理装置に検索キーワードを送るだけでドメイン９５に属する機器は必要とするコンテンツが存在する機器の機器ＩＤを権利許諾情報とともに効率的に知ることができる。
【００３２】
（実施の形態３）
ドメイン管理装置が複数ドメインを管理する場合である。図３において、１９５は第２のドメインで１６１は第３の機器、１６２は第３の機器１６１の入出力手段、１６３は第３の機器１６１を識別するＩＤを蓄積している第３の機器ＩＤ蓄積手段、１６４は第３の機器に蓄積されているコンテンツのコンテンツＩＤ情報及び権利許諾情報を蓄積する第３のコンテンツ蓄積手段、１６５はコンテンツ蓄積手段１６４に蓄積されているコンテンツを再生する再生手段で実施の形態３ではＭＰＥＧ−２デコーダ、１８０は第２のプロバイダ、１８１は第２のコンテンツサーバで実施の形態３ではＭＰＥＧ−２ビデオと権利許諾情報をＭＰＥＧ−２システムストリームに多重化した信号を伝送路１９０、１９１、１９２で第２のドメイン１９５に送信する。権利許諾情報は例えばＭＰＥＧ−２システム規格のプログラム仕様情報の中に多重化される。
【００３３】
図３にて、伝送路１９２を経由して第２のコンテンツサーバ１８１からドメイン１９５に送信されたコンテンツは、入出力手段１６２に送られコンテンツ蓄積手段１６４にコンテンツを識別するコンテンツＩＤと権利許諾情報とともに記録される。
【００３４】
ドメイン管理装置１は、第３の機器１６１の第３の機器ＩＤ蓄積手段１６３に蓄積されている第３の機器ＩＤを読み出し、第３のコンテンツ蓄積手段１６４から第３の機器１６１に蓄積されているコンテンツのＩＤ及び権利許諾情報を読み出してドメイン制御手段４、コンテンツ情報管理手段８を経てコンテンツ情報ファイル７に記憶する。以上の動作によって、コンテンツ情報ファイル７には、ドメイン９５に属する第１の機器３１、第２の機器６１に記憶されているコンテンツＩＤ情報及び権利許諾情報に加えてドメイン１９５に属する第３の機器１６１に記憶されているコンテンツのコンテンツＩＤ情報及び権利許諾情報が記憶される。
【００３５】
コンテンツ情報ファイルとして（表３）のように第１のドメインの第１の機器３１及び第２の機器６１に合計６個のコンテンツが存在し、第２のドメインの第１の機器３１に２個、第３の機器１６１に３個のコンテンツが存在する場合を考える。（表３）において、第１のドメイン９５はドメインＩＤとして１を有し、第２のドメイン１９５はドメインＩＤとして２を有する。
【００３６】
【表３】
2008242710.tif 000005
【００３７】
第１の機器３１がコンテンツ「映画２」を必要とする場合、第１の機器３１には「映画２」が存在しないので、検索キーワードとして「映画２」をドメイン管理装置１に送る。ドメイン管理装置１において、ドメイン制御手段４は第１の機器３１から与えられた検索キーワード「映画２」とコンテンツ情報ファイル７に記憶されているコンテンツＩＤ情報との照合を前記照合手段６に指示する。
【００３８】
照合手段６は、コンテンツ情報管理手段８を通じてコンテンツ情報ファイル７からドメイン９５に属するコンテンツＩＤ（（表１）における「ドラマ１」、「映画１」、「ニュース」、「ドラマ２」、「ドラマ３」、「映画２」）及びドメイン１９５に属するコンテンツＩＤ（（表１）における「映画２」）を読み出して、検索キーワード「映画２」を照合する。その結果、（表１）のコンテンツＩＤである「映画２」（ドメインＩＤ＝１）と「映画２」（ドメインＩＤ＝２）が一致するので、コンテンツＩＤ「映画２」（ドメインＩＤ＝１）に属する機器ＩＤとして２、権利許諾情報（コピー禁止）、コンテンツＩＤ「映画２」（ドメインＩＤ＝２）に属する機器ＩＤとして３、権利許諾情報（１回コピー可）をドメイン制御手段４に通知する。ドメイン制御手段４は、コンテンツＩＤ「映画２」（ドメインＩＤ＝１）に属する機器ＩＤとして２、権利許諾情報（コピー禁止）、コンテンツＩＤ「映画２」（ドメインＩＤ＝２）に属する機器ＩＤとして３、権利許諾情報（１回コピー可）を入出力手段５、入出力手段３２を通じて第１の機器３１に伝える。
【００３９】
第１の機器３１は、第２の機器６１の「映画２」の権利許諾情報が「コピー禁止」であること、第３の機器１６１の「映画２」の権利許諾情報が「１回コピー可」であることから、第３の機器１６１に対してコンテンツＩＤとして「映画２」を有するコンテンツを要求する。第３の機器１６１は、「映画２」の権利許諾情報が「１回コピー可」であるため、コンテンツ蓄積手段１６４からコンテンツ「映画２」を読み出して入出力手段１６２を通じて第１の機器３１に送信する。第１の機器３１は、入出力手段３２を通じて「映画２」を受信し、コンテンツ蓄積手段３４にコピーする。また、再生手段３５は、コンテンツ蓄積手段３４からコンテンツ「映画２」を読み出して再生する。
【００４０】
以上のように、ドメイン９５及びドメイン１９５に属する機器が保有するコンテンツのコンテンツＩＤはその権利許諾情報とともにドメイン管理装置１の中のコンテンツ情報ファイル７に記憶されているので、ドメイン９５及びドメイン１９５に属する任意の機器は、ドメイン管理装置に検索キーワードを送るだけでドメイン９５及びドメイン１９５に属する機器に求めるコンテンツが存在する機器の機器ＩＤを権利許諾情報とともに効率的に知ることができる。ドメイン管理装置が存在しない場合には、個々の機器に直接問い合わせる必要があるが、ホームネットワーク内のすべての機器が動作状態にあるとは限らないので、検索することは困難であるが、実施の形態１では、ドメイン管理手段のみが動作していればよく検索は容易である。
【産業上の利用可能性】
【００４１】
本発明は、ホームネットワークの１組の機器がドメインとして定義され多くのコンテンツが複数の機器に存在する場合に、そのドメインにおけるコンテンツの所在を検索して、権利許諾情報に基づいてコンテンツ共有をする場合に特に利用可能である。
【図面の簡単な説明】
【００４２】
【図１】本発明の実施の形態１における送信装置の概略構成を示す図
【図２】本発明の実施の形態２における送信装置の概略構成を示す図
【図３】本発明の実施の形態３における送信装置の概略構成を示す図
【図４】従来の概略構成を示す図
【符号の説明】
【００４３】
１  ドメイン管理装置
２  ドメインＩＤ蓄積手段
３  機器ＩＤ登録蓄積手段
４  ドメイン制御手段
６  照合手段
７  コンテンツ情報ファイル
８  コンテンツ情報管理手段
３１  第１の機器
３３  第１の機器ＩＤ蓄積手段
３４  第１のコンテンツ蓄積手段
３５  再生手段
６１  第２の機器
６３  第２の機器ＩＤ蓄積手段
６４  第２のコンテンツ蓄積手段
６５  再生手段
７１  権利分割手段
８１  第１のコンテンツサーバ
９５  第１のドメイン
１６１  第３の機器
１６３  第３の機器ＩＤ蓄積手段
１６４  第３のコンテンツ蓄積手段
１６５  再生手段
１８１  第２のコンテンツサーバ
１９５  第２のドメイン
【図１】
2008242710.tif 000006
【図２】
2008242710.tif 000007
【図３】
2008242710.tif 000008
【図４】
2008242710.tif 000009